(57)【要約】      （修正有）【課題】柔軟なプラスチック容器に入れられた詰め替え用の液体を、ポンプボトル等に移し替える際に、内容物の注ぎだしによって軟弱になった詰め替え用容器を常に安定して持つことができるようにし、無駄なく詰め替えできる補助袋を提供する。【解決手段】剛性を持ったプラスチックフィルムで詰め替え用容器（１）を動かないように包み込むように保持する補助袋（３）であって、移し替える途中で変形しにくく、移し終わるまで安定して保持でき、最後には詰め替え用容器を平らにたたむことができるようにしたものである。再利用する補助袋で剛性を高めること、自立型詰め替え用容器もこの袋に入れて陳列、販売することでより薄い素材で包装することが可能になり、資源を節約することができる。【選択図】  図１
2007076668.tif 000002
【特許請求の範囲】
【請求項１】
剛性を持ったプラスチックフィルムで詰め替え用容器を挟みこむように保持する袋であって、移し替える時、詰め替え用容器が動かないように係止具で固定できるようにした保持具。
【請求項２】
剛性を持ったプラスチックフィルムで詰め替え用容器を包み込むように保持する袋であって、移し替える時、詰め替え用容器を係止具で固定できるようにした保持具。
【発明の詳細な説明】
【技術分野】
【０００１】
本発明は詰め替え用容器から内容物を移し替え容器に注ぎ易くする補助包装要素に関する。
【背景技術】
【０００２】
従来、詰め替え用容器から使用時の移し替え容器に内容物を移し替える時には、こぼさないように注意深くゆっくりと作業するか、ロートのような道具を準備して移し替え容器の口にセットして注ぐか、専用の接続キャップを使用して移し替えていた。
【０００３】
また、詰め替え用容器そのものに手を加えて注ぎやすくしたものや、詰め替え用容器と組み合わせた構成のものもある。
【０００４】
【特許文献１】特開平１０−１７０１９
【特許文献２】特開平６−１２２４５９
【発明の開示】
【発明が解決しようとする課題】
【０００５】
詰め替え用容器は移し替える際に腰が弱く、詰め替え途中で内容物が少なくなるに連れ容器が軟弱になり突然変形し、外部にこぼれることがあった。また詰め替えの終わりに容器がきれいにたたまれず、詰め替え用容器に内容物が残り、無駄になることがあった。
【０００６】
本発明は従来の詰め替え用容器はそのままに、移し替える際に容器をある程度の剛性を持たせる補助袋で包み、注ぎ初めから終わりまで安定して持つことができるようにし、注ぎ終わりには平らにたたみやすくすることで内容物の無駄を少なくするようにすることを課題とする。
【０００７】
さらに、この補助袋は繰り返し使用することで、廃棄物の減量化、資源の節約にも貢献する。
【課題を解決するための手段】
【０００８】
上記の課題を達成するために、本請求項１発明では詰め替え用容器がその中で動かないように側端を接着したり、係止具（面ファスナー、スナップボタン等）で固定できるようにし、注ぎ口の周りを切り取った形の、ある程度の剛性を持ったプラスチックフィルムで詰め替え用容器を挟みこむ構造の詰め替えを補助する袋としている。
【０００９】
本請求項２発明では、底を自立型パウチの構造として、詰め替え用容器がその中で動かないように係止具（面ファスナー、スナップボタン等）で上部を固定し、注ぎ口の周りを切り取った形の、ある程度の剛性を持ったプラスチックフィルムで詰め替え用容器を包み込む形態にして、詰め替えを補助する袋としている。
【発明の効果】
【００１０】
詰め替え用容器を本発明の補助袋に入れたことで全体の剛性が高まり、移し替える間、安定して保持することができ、こぼすことなく、またきれいにたためることで、内容物の無駄を少なく注ぎきることができる。
【００１１】
しかも、注ぎ終わった詰め替え用容器は補助袋から簡単に取り出すことができるので、手を汚すことなく捨てることができる。また、他の道具等を使わないため、片付けや洗浄する作業をする必要がなくなる。
【００１２】
再利用する補助袋で剛性を高めることができるので、詰め替え用容器はより薄い素材で包装することで資源を節約することができる。また、自立型詰め替え用容器もこの袋に入れて陳列、販売することで少ない材料で包装することが可能となる。
【発明を実施するための最良の形態】
【００１３】
本発明の詰め替え補助袋の素材にはある程度の剛性があり伸び縮みがなく、中の詰め替え用容器が透けて見えるプラスチックフィルム（一例として、ポリプロピレン０．２ミリ厚）の使用が適当である。形態としては、プラスチックシートを折りたたみ、折りたたみ線に沿って詰め替え用容器を挟んで保持するため、詰め替える時に折りたたみ辺、即ち、詰め替え用容器を鉛直線方向に曲げようとする力に対応する有効な構造をしている。
【００１４】
以下、本発明の実施の形態を請求項に対応させて実施例１では請求項１のプラスチックフィルムで詰め替え用容器（１）を挟みこむように保持する補助袋（３）、（６）について図１、２に基づいて、実施例２では請求項２の自立型詰め替え用容器（１）を包みこむように保持する補助袋（７）ついて図３〜５に基づいて説明する。
【実施例１】
【００１５】
図１は詰め替え用容器（１）の内容物を移し替え容器（２）に詰め替え補助袋タイプＡ（３）を使用して移し替えを行っている説明図である。
【００１６】
この詰め替え補助袋タイプＡ（３）は１枚の長方形のプラスチックフィルムを折りたたみ、詰め替え用容器（１）の注ぎ口が折りたたみ辺側になるように折りたたみ辺に沿わせて挟み込み、詰め替え用容器（１）の注ぎ口が露出するように切り取った形をしている。挟み込んだ詰め替え用容器（１）を固定するために注ぎ口とは反対側の折りたたみ辺と直角の辺を接着（５）し、折りたたみ辺と接着した辺以外の２辺に対応する側に面ファスナーを配している。
【００１７】
移し替えは詰め替え用容器（１）の注ぎ口を上にして注ぎ口を切り取った後、図１のように両手でゆったりと詰め替え補助袋を持ち、傾けて移し替えの容器に内容物を注ぎ出して行く。途中で内容物が減って詰め替え用容器が軟弱になってもプラスチックフィルムで挟む構造によって安定して形を保つことができ、注ぎ終わりにはプラスチックフィルムを両側から押すことで詰め替え用容器を平らにたたむことになり内容物を押しだすことができる。移し終わった後、空の詰め替え用容器は面ファスナーを開けて引き出し、そのままゴミとして処分できるので、手や補助袋は内容物で汚染されることはない。
【００１８】
図２は注ぎ口の反対側を接着ではなく面ファスナー（４）を使用した詰め替え補助袋タイプＢ（６）を示している。この面ファスナーを使用することによって、大きさの異なる容器にも使用することができるのでいろいろな詰め替え用容器に汎用的に使用することもできる。また、面ファスナー（４）を他の係止具に変更することも考えられる。
【００１９】
さらに、プラスチックフィルム面の仮止めの方法としては、係止具を用いないで片方の面にスリットを開けてもう片方の一部を差し込んだり、２枚のプラスチックフィルムを合わせて折り曲げるのも有効である。
【００２０】
このように、一枚のフィルムを折りたたんだ簡単な構造であり、容易に製造することができる。安価に製造することができるので、従来の単に袋の形態の詰め替え用容器用の移し替え補助具として販売時に付録として提供することもできる。
【実施例２】
【００２１】
図３は詰め替え用容器（１）の内容物を移し替え容器（２）に詰め替え補助袋タイプＣ（７）を使用して移し替えを行っている説明図である。この図４で示した詰め替え補助袋タイプＣ（７）は主に自立型の詰め替え用容器（１）を包みこむように保持し、注ぎ口側をスナップボタン（８）、で止める自立型詰め替え用容器と同じような構造のものである。スナップボタン（８）は他の係止具、面ファスナー等に変更することも考えられる。
【００２２】
移し替えは図４のように両手でゆったりと詰め替え補助袋を持ち、傾けて移し替えの容器に内容物を注ぎ出して行く。途中で内容物が減って詰め替え用容器が軟弱になっても自立型詰め替え用容器のような構造によって安定して形を保つことができ、注ぎ終わりには補助袋を外側から押すことで詰め替え用容器を平らにたたむことになり内容物を押しだすことができる。移し終わった後、空の詰め替え用容器はスナップボタンを開けて引き出し、そのままゴミとして処分できるので、手や補助袋は内容物で汚染されることはない。
【００２３】
図４は自立型詰め替え用容器（１）に詰め替え補助袋タイプＣ（７）を包み込んだ状態の説明図である。包み込むことにより容器を安定して保持でき、移し替える場合だけでなく商品の販売時の陳列にも使用することができる。さらに、自立型でない詰め替え用容器をこの詰め替え補助袋タイプＣ（７）に入れて自立型のように陳列してもよい。
【００２４】
図５は詰め替え補助袋タイプＣ（７）のは正面図（イ）、は側面図（ロ）、は底面図（ハ）であり、自立型詰め替え用容器と同じような構造をしている。商品の端を止めるものとして、スナップボタン（８）を他の係止具に変更することも考えられる。底は自立型詰め替え用容器の凹んだ構造にあわせた凹みを持ち、移し替えの途中で内容物が減った時に外側から圧迫することで詰め替え用容器を平らにたたむことができる。
【００２５】
このように簡単な構造であり、詰め替え用容器の補助包装で密閉性を考慮する必要がなく、容易に製造することができる。
【図面の簡単な説明】
【００２６】
【図１】詰め替え補助袋タイプＡの実施方法を示した説明図である。（実施例１）
【図２】詰め替え補助袋タイプＢの斜視図である。
【図３】詰め替え補助袋タイプＣの実施方法を示した説明図である。（実施例２）
【図４】自立型詰め替え用容器に詰め替え補助袋タイプＣの装着を示した説明図である。
【図５】詰め替え補助袋タイプＣの（イ）は正面図、（ロ）は側面図、（ハ）は底面図である。
【符号の説明】
【００２７】
１  詰め替え用容器
２  移し替え容器
３  詰め替え補助袋タイプＡ
４  面ファスナー
５  接着
６  詰め替え補助袋タイプＢ
７  詰め替え補助袋タイプＣ
８  スナップボタン
【図１】
2007076668.tif 000003
【図２】
2007076668.tif 000004
【図３】
2007076668.tif 000005
【図４】
2007076668.tif 000006
【図５】
2007076668.tif 000007